(57)【要約】【課題】タスクライトに特別の複雑な機能を追加することなく、タスクライトの照明状態と室内の灯具の照明状態とをリンクさせることができ、省エネルギー化を図れる照明制御システムを得ることである。【解決手段】光を照射し照明エリアを照明する複数の灯具１１を有する。その照明エリアに、作業エリアを照明するタスクライト１４が配置される。タスクライト１４は、その照明状態情報を送信する機能を有する。情報端末１５は、複数の灯具の少なくとも一つの灯具を制御するように対応付けられた割付情報を有し、タスクライト１４の照明状態情報を受信する。そして、タスクライト１４の照明状態情報を受信したときは、その照明状態情報に基づいて、割付情報で対応付けられた灯具１１の照明を制御する。【選択図】図１
2013101779.tif 000002
【特許請求の範囲】
【請求項１】
光を照射し照明エリアを照明する複数の灯具と；
前記照明エリアに配置され作業エリアを照明するとともに、その照明状態情報を送信するタスクライトと；
前記複数の灯具の少なくとも一つの灯具を制御するように対応付けられた割付情報を有し、前記タスクライトの照明状態情報を受信したときはその照明状態情報に基づいて前記割付情報で対応付けられた灯具を照明制御する情報端末と；
を備えたことを特徴とする照明制御システム。
【請求項２】
光を照射し照明エリアを照明する複数の灯具と；
前記照明エリアに配置され作業エリアを照明するとともに、その照明状態情報を送信するタスクライトと；
前記複数の灯具の少なくとも一つの灯具を制御するように対応付けられた割付情報を有し、前記タスクライトの照明状態情報を受信したときはその照明状態情報に基づいて前記割付情報で対応付けられた灯具の照明制御内容を出力する情報端末と、
前記複数の灯具を照明制御するとともに、前記情報端末から照明制御内容を受信したときは、その照明制御内容に基づき当該灯具の照明を制御する照明親機と；
を備えたことを特徴とする照明制御システム。
【請求項３】
光を照射し照明エリアを照明する複数の灯具と；
前記照明エリアに配置され作業エリアを照明するとともに、その照明状態情報を送信するタスクライトと；
前記タスクライトの照明状態情報を受信したときは、その照明状態情報に基づいて灯具の照明制御内容を演算し、その照明制御内容及び自己の識別情報を出力する情報端末と、
前記複数の灯具を照明制御するとともに、前記複数の灯具の少なくとも一つの灯具と前記情報端末の識別情報とが予め対応付けられた割付情報を有し、前記情報端末から灯具の照明制御内容及び前記情報端末の識別情報を受信したときは、前記割付情報で前記受信した識別情報に対応付けられた灯具を前記受信した照明制御内容に従って照明制御する照明親機と；
を備えたことを特徴とする照明制御システム。
【発明の詳細な説明】
【技術分野】
【０００１】
本発明の実施形態は、照明制御システムに関する。
【背景技術】
【０００２】
従来、天井面に複数の灯具を配置し、照明親機により、この灯具を遠隔制御し照明エリアの照明状態を変化させることができる照明制御システムが利用されている。このような照明制御システムでは、例えば、壁スイッチ等を操作することで照明エリアに配置された複数の灯具のうちのいくつかまたは全部を一括してオンオフ制御することができる。
【０００３】
このような照明制御が行われる照明エリアにおいて、作業者毎にタスクライトが配置されることがある。タスクライトは、一般には照明エリアを照明する灯具とは別に設けられ、作業面に必要な照度を確保するため、例えば照明エリアよりも狭い作業エリア毎に設置され個別に作業エリアを照射するものである。
【０００４】
従って、タスクライトは、本来的には作業者の作業エリアを照明するものであり、照明機能を有すれば十分であるが、様々な機能を複合搭載することによって使用頻度を向上させるようにしたものがある（例えば、特許文献１参照）。
【先行技術文献】
【特許文献】
【０００５】
【特許文献１】特開２００９−２９５５６２号公報
【発明の概要】
【発明が解決しようとする課題】
【０００６】
しかしながら、タスクライトに各種機能を搭載するとタスクライトが複雑となり、搭載する機能毎に異なった種類のタスクライトとなる。また、タスクライトの照明状態と室内の灯具の照明状態とをリンクさせる場合に、タスクライト側にそのリンク機能を持たせることも考えられるが、その場合には、その機能を有した特殊なタスクライトとなってしまう。
【０００７】
本発明の目的は、タスクライトの機能を簡素化するとともに、タスクライトの照明状態と室内の灯具の照明状態とをリンクさせ、省エネルギー化を図れる照明制御システムを得ることである。
【課題を解決するための手段】
【０００８】
実施形態に係る照明制御システムは、光を照射し照明エリアを照明する複数の灯具を有する。その照明エリアに、作業者に必要な明るさを確保するためのタスクライトが配置される。タスクライトは、その照明状態情報を送信する機能を有する。情報端末は、タスクライトの照明状態情報を受信する。そして、タスクライトの照明状態情報を受信したときは、その照明状態情報に基づいて、少なくとも自己の識別情報とともに灯具の照明を制御するための制御情報を照明親機に送信する。
【発明の効果】
【０００９】
本発明によれば、タスクライトの構成を簡素化しつつ、タスクライトの照明状態と照明制御システムとをリンクさせ、照明制御システムの省エネルギー化を実現することが期待できる。
【図面の簡単な説明】
【００１０】
【図１】本発明の実施形態に係る照明制御システムの実施例１の構成図。
【図２】本発明の実施形態の実施例１における情報端末の一例を示すブロック図。
【図３】照明エリアのレイアウト図の一例の説明図。
【図４】本発明の実施形態に係る照明制御システムの実施例２の構成図。
【図５】本発明の実施形態の実施例２における情報端末１５の一例を示すブロック図。
【図６】割付情報を照明親機に持たせた場合の情報端末のブロック構成図。
【図７】割付情報を照明親機に持たせた場合の照明親機のブロック構成図。
【発明を実施するための形態】
【００１１】
以下、本発明の実施形態を説明する。図１は、本発明の実施形態に係る照明制御システムの実施例１の構成図である。複数の灯具１１は建家の部屋の天井部に配置され、光を照射して建家の室内の照明エリアを照明するものである。
【００１２】
照明親機１２は、伝送線によって複数の灯具と接続しており、この伝送線を介して複数の灯具を遠隔制御するものである。照明親機１２は、例えば、照明エリアの調光制御や点消灯制御、または照明エリアの複数の灯具のうちいくつかをまとめてオンオフ制御するグループ制御を行う。なお、図１では照明親機１２に３系統の伝送線が接続されており、それぞれの伝送線に複数の灯具が接続されている。
【００１３】
壁スイッチ１３は、照明制御親機１２に接続された３系統の伝送線のうちの一つの系統に接続されており、作業者等の操作により照明親機１２を介して、例えば、照明エリアに配置された複数の灯具のうちのいくつかまたは全部を一括してオンオフ制御するものである。
【００１４】
複数の灯具１１によって照明される照明エリアには、例えば、作業者が執務する机が設置されており、その机上にはタスクライト１４が設置されている。すなわち、タスクライト１４は作業面に必要な照度を確保するため、作業エリア毎（ここでは各作業者の机毎）に設置され個別に作業エリアを照射するものである。
【００１５】
タスクライト１４は、一般的には灯具１１よりも作業面に近い位置に設置され、個別の作業エリアを照射することを目的に設置されるため、例えば一つの灯具１１の照射範囲よりも狭い範囲を照射するように構成されている。また、タスクライト１４は、自己の照明状態情報を送信するための通信機能を有している。
【００１６】
ここで、タスクライト１４の照明状態情報とは、例えば、タスクライト１４が点灯状態か消灯状態かを示す情報である。タスクライト１４が調光機能を有する場合には、調光状態も照明状態情報に含む。また、タスクライト１４の通信機能は、例えば、赤外線通信機能、USB通信機能、あるいはBluetooth（登録商標）やWi-Fi（登録商標）などの無線通信機能、可視光通信機能等の音、光、電波、有線、無線等を利用したあらゆる通信媒体を利用することが可能である。
【００１７】
さらに、照明状態情報は、例えばタスクライト１４がオフからオンに変化したとき、あるいは変化後の一定期間は点灯した旨の信号を送信してもよいし、オンからオフに変化したとき、あるいは変化後一定期間は消灯した旨の信号を送信してもよい。なお、「変化したとき」とは演算処理の時間あるいは遅延時間を考慮して実際に制御が行われてからの所定時間を含むものとする。また、タスクライト１４が点灯している間は常時あるいは間欠的に点灯状態を示す信号を送信してもよいし、消灯している間は常時あるいは間欠的に消灯状態を示す信号を送信してもよい。
【００１８】
本実施形態ではタスクライト１４は識別情報、割付情報等を記憶しておらず、照明状態情報はオン状態とオフ状態とを区別できる必要最小限の通信容量とする極めて簡単な信号を送信する構成とすることができる。このため、タスクライト１４の通信機能を簡素化することができる。
【００１９】
情報端末１５は、タスクライト１４から送信された照明状態情報を受信し、タスクライトの制御状態を判別する。情報端末１５は、例えば、スマートフォン等の携帯電話やＰＤＡ（Personal Digital Assistant）などであり、タスクライト１４の照明状態情報を受信するために、例えば、赤外線通信機能、USB通信機能、あるいはBluetoothやWi-Fiなどの無線通信機能、可視光通信機能等の音、光、電波、有線、無線等を利用したあらゆる通信媒体を利用することが可能である。
【００２０】
また、情報端末１５は、複数の灯具１１の少なくとも一つの灯具と自己の識別情報（識別ＩＤ）とが予め対応付けられた割付情報を有し、タスクライト１４の照明状態情報を受信したときは、そのタスクライト１４の照明状態情報に基づいて、割付情報で対応付けられた灯具１１の照明制御指令を演算し、その照明制御指令を割付情報で対応付けられた灯具１１に送信する。
【００２１】
灯具１１への照明制御指令の送信は、情報端末１５と複数の灯具１１との間の通信機能を用いて行われる。この情報端末１５と複数の灯具１１との間の通信は、情報端末１５に搭載されているWi-FiやBluetooth等の無線技術を用いて実施する。つまり、本発明の実施形態の実施例１では、灯具１１もタスクライト１４や情報端末１５と同様の通信機能、例えばWi-FiやBluetooth等の無線通信機能を有している。
【００２２】
図２は、本発明の実施形態の実施例１における情報端末１５の一例を示すブロック図である。情報端末１５は、タスクライト１４からの照明状態情報を赤外線通信機能あるいはUSB通信機能等の通信機能を有した受信部１６で受信し記憶部１７に記憶する。記憶部１７には、灯具１１と自己の識別ＩＤとが予め対応付けられた割付情報を記憶している。さらに、情報端末１５は受信した照明状態情報に対する灯具１１の照明制御指令の内容を演算するように構成されている。例えば、タスクライト１４から照明状態情報として例えば点灯状態情報が送信された場合、情報端末１５は自己の識別ＩＤに割付けられた灯具１１に対し出力を下げる照明制御指令を送信する。一方で、タスクライト１４から消灯状態情報が送信された場合には情報端末１５に割付けられた灯具１１に対し出力を元に戻す照明制御指令を送信する。照明制御指令を受信した灯具１１は、受信した照明制御指令に応じて出力を制御する。この制御によって、作業エリアは必要照度を確保することができるとともに、作業エリアの周囲は照度を落とすことができる。
【００２３】
つまり、灯具１１およびタスクライト１４の両方を点灯している場合、作業エリアは灯具１１とタスクライト１４との両方によって光が照射されることになる。ここで、予め灯具１１のみで照明エリアの必要照度を確保していた状態でタスクライト１４からの光を追加すると作業面の照度が必要照度を超えることになる。また、タスクライト１４が点灯した場合には、作業エリアで作業している状態であると考えることができるため作業エリア周囲の照度を低下させても作業者への影響は低い。そこで、灯具１１が点灯している状態でタスクライト１４が点灯した場合には、灯具１１の出力を低下させることで、作業エリアの照度を一定に制御するとともに、作業エリア外の照度を下げることによって省エネルギー化を図っている。言い換えると、タスクライト１４を点灯させて作業エリアで作業している場合に、作業エリアにおける机上面照度を確保するとともに、作業エリアと作業エリア外との間に照度差を意図的に作り出すことによって、作業エリア以外の照度を下げて省エネルギー化を図っている。
【００２４】
本実施形態では、作業者が携帯する情報端末１５に着目し、灯具１１と情報端末１５の識別ＩＤとを予め対応付けることとし、その情報を割付情報として、予め情報端末１５に記憶しておくこととした。これは、作業者は、執務室では自己の机で作業することがほとんどであり、作業者が携帯する情報端末１５は、机に配置されたタスクライト１４と同等と考えられるからである。
【００２５】
このように、情報端末１５に制御対象となる灯具１１を対応付けることによって、タスクライト１４に対して識別ＩＤを付与する必要がなく、タスクライト１４は単に照明状態情報を出力するだけでよいので、タスクライト１４の通信機能を簡素化できるとともに、タスクライト自体の設定作業をせずに使用することができる。このため、タスクライト１４の追加や変更の際に、タスクライト１４を容易に導入することができる。
【００２６】
なお、本実施形態では情報端末１５に対して制御対象となる灯具１１を設定することができればよく、情報端末１５に記憶された識別ＩＤおよび識別ＩＤと灯具１１との割付情報は必須の構成ではない。つまり、情報端末１５はタスクライト１４から照明状態情報を受信したときに照明制御指令を送信する灯具１１を特定することができればよい。
【００２７】
図２に示す情報端末１５は自己の識別ＩＤはＸであり、対応付けられた灯具番号はｉである場合を示している。演算部１８は、タスクライト１４の照明状態情報及び割付情報に基づいて、割付情報で対応付けられた灯具ｉの照明制御指令を演算し記憶部１７に更新記憶する。
【００２８】
例えば、タスクライト１４の照明状態情報が点灯状態情報であるときは、灯具ｉの照明制御指令として減光した明るさとなる照明制御指令を演算する。タスクライト１４の照明状態情報が消灯状態情報であるときは、灯具ｉの照明制御指令として、減光しない通常の明るさとなる照明制御指令を演算する。この場合、照明親機１２から照明制御指令を採用する照明制御指令とするようにしてもよい。また、タスクライト１４の照明状態情報が調光状態情報であるときは、灯具ｉの照明制御指令として、調光レベルに応じて減光した明るさとなる照明制御指令を演算する。
【００２９】
送信部１９は、前述したように、Wi-FiやBluetooth等の無線通信機能を有し、記憶部１７に更新記憶した灯具ｉへの照明制御指令を灯具ｉに送信する。これにより、灯具ｉは情報端末Ｘからの照明制御指令により照明制御される。
【００３０】
次に、割付情報の設定の仕方について説明する。情報端末１５は、複数の灯具１１が照明する照明エリアのレイアウト図を表示し、そのレイアウト図を介して自己の情報端末１５と照明エリアの複数の灯具１１のいずれかの灯具との割り付を行う。情報端末１５は、例えば、照明親機１２から照明エリアのレイアウト図を入手する。
【００３１】
図３は、照明エリアのレイアウト図の一例の説明図である。建家の部屋のレイアウト図には、複数の灯具１１と作業員が作業する机の配置位置とが記載されている。机にはそれぞれタスクライト１４が配置されているので、灯具１１と机の配置位置とから、灯具１１とタスクライト１４との対応関係を特定することができる。
【００３２】
作業員には、その作業員が常時作業する机が付与されるので、机と作業員とを対応付けることができ、作業員が携帯する情報端末１５と机とを対応づけることができる。従って、灯具１１と情報端末１５とを対応付けることで、灯具１１とタスクライト１４とを対応づけることができる。
【００３３】
図３では、灯具１１と机とが１対１に配置された場合を示しており、従って、灯具１１と作業員が携帯する情報端末１５（タスクライト１４）とが１対１に対応している。
【００３４】
情報端末１５に割付情報を設定するにあたっては、情報端末１５は照明エリアのレイアウト図を入手し、情報端末１５の表示部に、例えば、図３に示すようなレイアウト図の画面を表示する。作業員は、自己の机がどの位置であるかを判断し、自己の机の位置をレイアウト図の画面上でタッチする。自己の机が灯具番号３の位置であった場合には、レイアウト図の画面上の灯具番号３の位置をタッチする。これにより、自己が携帯している情報端末１５の識別ＩＤがＣであるときは、識別ＩＤがＣで灯具番号が３である割付情報が自己の情報端末１５の記憶部に設定される。
【００３５】
以上の説明では、灯具１１と机とが１対１に配置された場合について説明したが、灯具１１と机とが１対ｎに配置された場合にも適用可能である。その場合には、灯具１１と情報端末１５との対応は１対ｎとなる。
【００３６】
また、割付情報の設定については、照明親機１２で設定し、各々の情報端末１５に送信するようにしてもよい。この場合、作業員が携帯する情報端末１５及び作業員に付与した机の位置を予め照明親機１２に入力し、照明親機１２は作業員が携帯する情報端末１５及び作業員に付与した机の位置、レイアウト図に基づいて割付情報を作成する。そして、照明親機１２から情報端末１５に送信して情報端末１５に割付情報を設定する。照明親機１２から情報端末１５への送信は、Wi-FiやBluetooth等の無線通信機能を用いて直接的に送信してもよいし、インターネットを経由して送信するようにしてもよい。
【００３７】
本発明の実施形態の実施例１によれば、タスクライト１４の照明状態と照明制御システムをリンクさせるので、不要な明かりを削減でき省エネルギー化を図ることができる。また、タスクライト１４には、その照明状態情報を送信する通信機能だけを追加すればよいので、タスクライトの構成を簡素化し、タスクライト自体の設定作業を不要とすることができる。さらに、タスクライト１４の照明状態に応じた照明制御指令を情報端末側で行うことができるため、演算処理、割付作業や制御内容の変更等の各種詳細設定などを情報端末上で容易に実施できる。
【００３８】
次に、本発明の実施形態に係る照明制御システムの実施例２を説明する。図４は、本発明の実施形態に係る照明制御システムの実施例２の構成図である。この実施例２は、図１に示した実施例１に対し、情報端末１５から灯具１１に照明制御指令を出力して灯具１１を照明制御することに代えて、照明親機１２から灯具１１に照明制御指令を出力して灯具１１を照明制御するようにしたものである。図１と同一要素には、同一符号を付し重複する説明は省略する。
【００３９】
情報端末１５は、実施例１の場合と同様に、複数の灯具１１のいずれかの灯具と自己の識別ＩＤとが予め対応付けられた割付情報を有し、タスクライト１４の照明状態情報を受信したときは、そのタスクライト１４の照明状態情報に基づいて、割付情報で対応付けられた灯具１１の照明制御内容を演算する。そして、演算した当該灯具１１の照明制御内容を照明親機１２に出力する。
【００４０】
照明親機１２は、複数の灯具１１を遠隔制御するものであり、情報端末１５より、灯具１１の照明制御内容を受信したときは、照明親機１２で演算した照明制御内容に代えて、情報端末１５より受信した照明制御内容を当該灯具１１に照明制御指令として出力する。これにより、当該灯具は情報端末１５で演算された照明制御内容により照明制御されることになる。
【００４１】
照明親機１２と情報端末１５との間の通信は、情報端末１５と複数の灯具１１との間の通信と同様に、情報端末１５に一般的に搭載されているWi-FiやBluetooth等の無線技術を用いて実施してもよいし、インターネットを介して通信するようにしてもよい。
【００４２】
図５は、本発明の実施形態の実施例２における情報端末１５の一例を示すブロック図である。実施例１の場合と同様に、複数の灯具１１のいずれかの灯具と自己の識別ＩＤとが予め対応付けられた割付情報を記憶部１７に記憶しており、演算部１８は、受信部１６で受信したタスクライト１４の照明状態情報、及び記憶部１７に記憶された割付情報に基づいて、割付情報で対応付けられた灯具ｉの照明制御内容を演算し記憶部１７に更新記憶する。
【００４３】
送信部１９は、記憶部１７に更新記憶した灯具ｉへの照明制御内容を照明親機１２に送信する。照明親機１２は、情報端末Ｘより、灯具ｉの照明制御内容を受信したときは、照明親機１２で演算した照明制御内容に代えて、情報端末Ｘより受信した照明制御内容を当該灯具ｉに照明制御指令として出力する。これにより、灯具ｉは情報端末Ｘで演算された照明制御内容により照明制御される。
【００４４】
本発明の実施形態の実施例２によれば、灯具１１は照明親機１２からの照明制御指令により照明制御されるので、複数の灯具１１の照明制御を照明親機１２で統一的に行うことができる。
【００４５】
以上の説明では、割付情報を情報端末１５に持たせたが、照明親機１２に持たせるようにしてもよい。図６は割付情報を照明親機１２に持たせた場合の情報端末１５のブロック構成図、図７は割付情報を照明親機１２に持たせた場合の照明親機１２のブロック構成図である。
【００４６】
割付情報を照明親機１２に持たせた場合には、図６に示すように、情報端末１５は割付情報に代えて自己の識別ＩＤを記憶している。そして、タスクライト１４の照明状態情報を受信したときは、その照明状態情報に基づいて灯具の照明制御内容を演算し、その照明制御内容及び自己の識別ＩＤを照明親機１２に出力する。
【００４７】
一方、照明親機１２は、図７に示すように、記憶部２１に割付情報を記憶している。そして、照明親機１２は、情報端末１５から灯具１１の照明制御内容及び情報端末１５の識別ＩＤを受信部２０で受信し、記憶部２１に更新記憶する。演算部２２は、記憶部２１に更新記憶された情報端末１５の識別ＩＤ及び割付情報に基づいて、割付情報で対応付けられた灯具１１を特定する。さらに、演算部２２は、記憶部２１に更新記憶された灯具１１の照明制御内容に基づいて、特定した器具１１に対する照明制御指令を演算し、記憶部２１に記憶する。
【００４８】
送信部２３は、記憶部２１に更新記憶した灯具１１への照明制御指令を灯具１１に送信する。これにより、灯具１１は情報端末１５からの照明制御指令により照明制御される。このように、割付情報を照明親機１２に持たせた場合にも、本発明の実施形態の実施例２と同様の効果が得られる。
【００４９】
本発明の実施形態は、例として提示したものであり、発明の範囲を限定することは意図していない。これら新規な実施形態は、その他の様々な形態で実施されることが可能であり、発明の要旨を逸脱しない範囲で、種々の省略、置き換え、変更を行うことができる。これら実施形態やその変形は、発明の範囲や要旨に含まれるとともに、特許請求の範囲に記載された発明とその均等の範囲に含まれる。例えば、光源は白色用と赤色用（または黄色用）とを共通とし、いずれか一方の方向の照射する光に対してフィルタ部材を機能させるようにしてもよい。
【符号の説明】
【００５０】
１１…灯具、１２…照明親機、１３…壁スイッチ、１４…タスクライト、１５…情報端末、１６、２０…受信部、１７、２１…記憶部、１８、２２…演算部、１９、２３…送信部
【図１】
2013101779.tif 000003
【図２】
2013101779.tif 000004
【図３】
2013101779.tif 000005
【図４】
2013101779.tif 000006
【図５】
2013101779.tif 000007
【図６】
2013101779.tif 000008
【図７】
2013101779.tif 000009